(57)【要約】【課題】従来の照明器具では、外部の商用電源と照明器具との間に照明器具を点消灯させるためのスイッチが接続されており、スイッチがオフになって電力の供給が停止した状態と停電の発生により電力の供給が停止した状態とを区別するため、照明器具には商用電源に接続される導線と、スイッチを介して商用電源に接続される導線と、商用電源とスイッチとの間に接続される導線との、合計３本の導線が接続されるので、配線工事が煩わしい。【解決手段】筐体を備え、その筐体の外面に、上記商用電源からの電力供給用のケーブル、および点消灯用のスイッチと照明器具に電力を供給するケーブルとをすべて２線のケーブルで配線できるように、ケーブル接続のためのターミナルを設けた。【選択図】  図２
2016081862.tif 000002
【特許請求の範囲】
【請求項１】
外部の商用電源から供給される電力で照明器具を通常点灯させると共に、停電によって商用電源からの電力の供給が停止すると、この照明器具を非常点灯させる照明器具の点灯装置において、筐体を備え、その筐体の外面に、上記商用電源からの電力供給用のケーブル、および点消灯用のスイッチと照明器具に電力を供給するケーブルとをすべて２線のケーブルで配線できるように、ケーブル接続のためのターミナルを設けたことを特徴とする照明器具の点灯装置。
【請求項２】
上記照明器具とは別に、停電時には点灯せず、商用電源から供給される電力のみで点灯し、上記スイッチによって点消灯する照明器具を２線のケーブルを介して接続するためのターミナルを有することを特徴とする請求項１に記載の照明器具の点灯装置。
【発明の詳細な説明】
【技術分野】
【０００１】
本発明は、例えば浴室に設置され、外部の商用電源からの電力の供給が停止した状態で照明器具を非常点灯させることのできる照明器具の点灯装置に関する。
【背景技術】
【０００２】
従来の照明器具として、点灯装置を内蔵し、例えば外部の商用電源に停電が発生した場合、その停電の発生したことを検知する停電検知部と、外部電源から電力の供給を受けている状態で充電される充電部とを備え、停電検知部で停電の発生を検知すると充電部に充電された電力で内蔵する発光部を自動的に非常点灯するようにしたものが知られている（例えば、特許文献１参照）。
【０００３】
このような照明器具では、外部の商用電源と照明器具との間に照明器具を点消灯させるためのスイッチが接続されており、スイッチがオフになって電力の供給が停止した状態と停電の発生により電力の供給が停止した状態とを区別するため、点灯装置には商用電源に接続される導線と、スイッチを介して商用電源に接続される導線と、商用電源とスイッチとの間に接続される導線との、合計３本の導線が接続されている。
【先行技術文献】
【特許文献】
【０００４】
【特許文献１】特開２０１３−７３７０６号公報（図３）
【発明の概要】
【発明が解決しようとする課題】
【０００５】
上記のような停電時の自動点灯機能を備えていない従来の照明器具では、停電の発生を検知する必要がないので、外部の商用電源との接続は、例えばＶＶＦケーブルと呼ばれる２線のケーブルのみでよい。そのため、家屋の施工時には２線のケーブルのみで配線することが多く、上述のような停電検知機能を備えた照明器具を施工する場合には、別途さらにもう１本の導線を配線しなければならず、配線工事が煩わしいという不具合が生じる。なお、ＶＶＦケーブルには３線のものも存在するが、停電時に自動点灯する照明器具は一般的では無いため、３線のケーブルを用いて配線する際に誤配線しやすいという不具合が生じる。
【０００６】
そこで本発明は、上記の問題点に鑑み、２線のケーブルのみで配線することができ、停電時には照明器具を異常点灯させることのできる照明器具の点灯装置を提供することを課題とする。
【課題を解決するための手段】
【０００７】
上記課題を解決するために本発明による照明器具は、外部の商用電源から供給される電力で照明器具を通常点灯させると共に、停電によって商用電源からの電力の供給が停止すると、この照明器具を非常点灯させる照明器具の点灯装置において、筐体を備え、その筐体の外面に、上記商用電源からの電力供給用のケーブル、および点消灯用のスイッチと照明器具に電力を供給するケーブルとをすべて２線のケーブルで配線できるように、ケーブル接続のためのターミナルを設けたことを特徴とする。
【０００８】
筐体の外面に２線のケーブルを接続するターミナルを設けて、施工時には２線のケーブルのみで配線が完了するようにした。なお、停電検知に伴う特有の配線は筐体内にあるので、施工業者はそのような特有の配線について配慮する必要が無い。
【０００９】
ところで、非常点灯する照明器具は少数でよく、逆に通常時にはさらに多くの照明器具を点灯させる必要がある場合が生じる。そのような場合には、上記照明器具とは別に、停電時には点灯せず、商用電源から供給される電力のみで点灯し、上記スイッチによって点消灯する照明器具を２線のケーブルを介して接続するためのターミナルを設ければよい。
【発明の効果】
【００１０】
以上の説明から明らかなように、本発明は、すべて２線のケーブルで配線工事を行うことができるので、配線工事時に誤配線などが生じない。
【図面の簡単な説明】
【００１１】
【図１】本発明の一実施の形態の構成を示す図
【図２】点灯装置内部の構造を示す図ブロック図
【発明を実施するための形態】
【００１２】
図１を参照して、１は本発明による点灯装置で有り、屋根裏に収納されている。そして、外部の商用電源２から電力の供給を受けて、天井面に設置された３個の照明器具３１，３２を点消火させる。また、別途設けられたスイッチ４が接続されており、商用電源２から電力が供給されている状態であれば、このスイッチ４のオン・オフによってすべての照明器具３１，３２が点消火する。そして、スイッチ４のオン・オフ状態の如何に関わらず停電により商用電源２からの電力供給が停止すると、照明器具３２を単独で非常点灯させるように構成されている。
【００１３】
図２を参照して、点灯装置１の筐体１０の外面には５個のスクリューレス端子１１が設けられており、図示のように、商用電源２と３個の照明器具３１，３２とスイッチ４とは各々２線式のＶＶＦケーブルを介して接続される。
【００１４】
筐体１０内には照明器具３２の点消灯を制御するための点灯制御部５が内蔵されており、スイッチ４がオンになると、電源回路からの電力を受けて制御部が照明器具３２を点灯させると共に、充電回路によって２次電池を充電する。そして、スイッチ４がオフになると制御部は照明器具３２を消灯させる。
【００１５】
一方、停電検知回路によって商用電源２の停電を常時監視しており、停電が発生すると直ちに制御部は２次電池に充電されている電力で照明器具３２を非常点灯させる。なお、他の照明器具３１は点灯制御部５から電力の供給を受けていないので、商用電源２が機能している状態ではスイッチ４のオン・オフで点消灯するが、商用電源２が停電すると両照明器具３１は共に消灯する。
【００１６】
なお、本発明は上記した形態に限定されるものではなく、本発明の要旨を逸脱しない範囲内において種々の変更を加えてもかまわない。
【符号の説明】
【００１７】
１ 点灯装置
２ 商用電源
３ 合計
４ スイッチ
５ 点灯制御部
１０ 筐体
１１ スクリューレス端子
３１ 照明器具
３２ 照明器具
【図１】
2016081862.tif 000003
【図２】
2016081862.tif 000004